【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
自動閉鎖式のドアその他のための蝶番構造物であって、
-ドア(P)を長さ方向軸(X)の回りにドア開放位置とドア閉鎖位置との間で回転させるためにドア(P)に取りつけることのできる第一の可動要素(3)に旋回式に取りつけられる、ドア(P)の枠(T)に取りつけることのできる第一の固定要素(2)、
-ドア(P)を開放時に前記閉鎖位置に自動的に戻すための、前記第一の可動要素(3)に作用する閉鎖手段(4)、
-前記閉鎖手段(4)の閉鎖運動に対抗し、これを減衰させるために、前記第一の可動要素(3)に作用する液圧減衰手段(5)、
-前記閉鎖手段(4)と前記液圧減衰手段(5)との両方が、前記第一の固定要素(2)の内部に配置された第一の動作室(6)内に収容され、
ここで、前記閉鎖手段(4)が、前記第一の可動要素(3)と一体で第一の大体平坦な接触面(16)を有する第一のカム要素(11)、および、前記ドア開放位置に対応する圧縮端位置と前記ドア閉鎖位置に対応する伸長端位置との間で横方向軸(Y)に沿って前記第一の動作室(6)内で動くことのできる第一のプランジャー要素(12)を有し、このプランジャー要素(12)が、前記カム要素(11)の前記面(16)に接触係合することのできる前面(17)を有し、
前記第一のカム要素(11)の前記第一の接触面(16)が、前記長さ方向軸(X)から所定の距離(g)だけずらされて、伸長端位置にある前記プランジャー要素(12)の前面(17)が前記長さ方向軸(X)を超えたところに配置され、ドアの自動閉鎖が可能になるようになっており、
当該閉鎖手段(4)が、当該第一のカム要素(11)の当該接触面(16)に対して当該前面(17)を押しつけるために当該第一のプランジャー要素(12)に作用する第一の対抗弾性手段(18)を有する、
蝶番構造物において、
当該第一のプランジャー要素(12)が、実質的に円筒の側壁(21)と当該前面(17)を定める端壁(32)とを有し、この端壁(32)が、当該少なくとも一つの第一の動作室(6)を、互いに隣接して流体連絡している第一の可変容積区画室(33)および第二の可変容積区画室(34)に分割するようになっており、当該第一の対抗弾性手段(18)が前記第一の区画室(33)内に配置されている、
を特徴とする蝶番構造物。
【請求項２】
当該第一の固定要素(2)の内部に配置され、当該長さ方向軸(X)と一致する軸を有するピン(13)を有し、このピン(13)が、当該可動要素(3)を当該固定要素(2)に相互旋回式に連結できる端部(15、15´)を有し、第一の中央部(14)が当該第一の接触面(16)を有することを特徴とする請求項１に記載の蝶番構造物。
【請求項３】
当該第一の接触面(16)が当該長さ方向軸(X)に大体平行であることを特徴とする請求項１または２に記載の蝶番構造物。
【請求項４】
当該第一のカム要素(11)の当該第一の接触面(16)が、当該長さ方向軸(X)から1〜5 mm好ましくは約2 mmの距離(g)に配置されていることを特徴とする請求項１に記載の蝶番構造物。
【請求項５】
当該ドアが当該閉鎖位置にあるとき、当該第一の可変容積区画室(33)がその最大容積を有するようになっており、当該第二の可変容積区画室(34)がその最小容積を有するようになっていることを特徴とする請求項１に記載の蝶番構造物。
【請求項６】
当該第一のプランジャー要素(12)の当該第一の端壁(32)に第一の逆止め弁(21)を有し、この第一の逆止め弁(21)が、ドア(P)の開放時に、作業流体を当該第一の区画室(33)から当該第二の区画室(34)に流入させることができ、前記ドアの閉鎖時に、前記流体の逆流を防ぐようになっていることを特徴とする請求項５に記載の蝶番構造物。
【請求項７】
当該第一のプランジャー要素(12)の当該第一の側壁(39)が、当該第一の動作室(6)の側壁(38)とともに空隙(37)を定め、ドア(P)の閉鎖時に、当該作業流体の当該第二の可変容積区画室(34)から当該第一の可変容積区画室(33)への逆流を防止するようになっていることを特徴とする請求項６に記載の蝶番構造物。
【請求項８】
当該第一の弾性手段(18)が、当該横方向軸(Y)に大体平行で当該長さ方向軸(X)に大体直交する横方向に沿って、作用することを特徴とする請求項１から７の中のいずれか一つに記載の蝶番構造物。
【請求項９】
当該固定要素(2)が、当該閉鎖手段(4)と当該液圧減衰手段(5)を収容するための箱状体から成ることを特徴とする請求項１から８の中のいずれか一つに記載の蝶番構造物。
【請求項１０】
第二の動作室(44)を有し、当該閉鎖手段(4)が、当該第一の動作室(6)内に収容され、当該液圧減衰手段(5)が、当該第一の動作室(6)および前記第二の動作室(44)との両方に収容されることを特徴とする請求項１から９の中のいずれか一つに記載の蝶番構造物。
【請求項１１】
当該閉鎖手段(4)が、第二のカム要素(45)と第二のプランジャー要素(46)とを有し、この第二のプランジャー要素(46)が当該第二の動作室(44)内を長さ方向に可動で、前記第二のカム要素(45)と協働することができることを特徴とする請求項１０に記載の蝶番構造物。
【請求項１２】
当該ピン(13)の当該中央部(14)が、当該第一の接触面(16)の上方にある第二の接触面(49)を有し、この第二の接触面(49)が大体平坦で、当該第二のカム要素(45)を定めることを特徴とする請求項１１に記載の蝶番構造物。
【請求項１３】
当該第二のプランジャー要素(46)が、当該第二の動作室(44)を相互に流体連絡している第三および第四の隣接する可変容積区画室(57、58)に分割するための第二の端壁(56)を有し、当該第二のプランジャー要素(46)を当該第二のカム要素(45)に押しつけるための第二の弾性手段(51)が前記第四の区画室(58)内に配置されていることを特徴とする請求項１２に記載の蝶番構造物。
【請求項１４】
当該閉鎖手段(4)および/または当該液圧減衰手段(5)が、当該ドアが当該閉鎖位置にあるとき、当該第三の可変容積区画室(57)が最小の容積を有し、当該第四の区画室(58)が最大の容積を有するような構造になっていることを特徴とする請求項１３に記載の蝶番構造物。
【請求項１５】
当該第二のプランジャー要素(46)の当該第二の端壁(56)に第二の逆止め弁(54)を有し、ドア(P)の開放時に、作業流体の当該第三の区画室(57)から当該第四の区画室(58)への流入ができるようになっており、前記ドアの閉鎖時に、前記流体の逆流を防ぐようになっていることを特徴とする請求項１４に記載の蝶番構造物。
【請求項１６】
当該第二のカム要素(45)の当該第二の接触面(49)が当該長さ方向の軸(X)に大体平行で、当該第一のカム要素(11)の当該第一の接触面(16)に大体直交することを特徴とする請求項１２に記載の蝶番構造物。
【請求項１７】
当該第一および第二の弾性手段(18、51)が、動作方向(Y、Y´)を有し、これらの動作方向が、当該長さ方向の軸(X)に大体直交していて、逆向き(V、V´)であることを特徴とする請求項１３から１６の中のいずれか一つに記載の蝶番構造物。
【請求項１８】
請求項１から１７の中のいずれか一つに記載の第一の蝶番構造物(71)を有する、ドアその他を閉鎖するためのドア蝶番集成体であって、
前記第一の蝶番構造物(71)に対して長さ方向にずらした位置で同じドア(P)に取りつけられる第二の蝶番構造物(72)を有し、ここで、前記第二の蝶番構造物(72)は、前記第一の蝶番構造物(71)に似ているが、閉鎖手段(4)を有さず、前記第一の蝶番構造物(71)の閉鎖手段(4)が発生させる閉鎖運動にブレーキをかけて、これを減衰させる第二の減衰手段(81)を有するという点で、前記第一の構造物(71)と異なること、
を特徴とする蝶番集成体。
【請求項１９】
当該第二の蝶番構造物(72)が第二のピン(13´)を有し、このピンが、当該第二の減衰手段(81)に備えられる対応するプランジャー要素(83)と相互作用するようになっている対応する接触面(82)を有することを特徴とする請求項１８に記載の蝶番集成体。
【請求項２０】
当該第二のピン(13´)の当該第二の接触面(82)が、当該第一の蝶番構造物(71)に備えられた第一のピン(13)の接触面(6、49)の少なくとも一つに大体直交することを特徴とする請求項１９に記載の蝶番集成体。
【請求項２１】
当該第二の蝶番構造物(72)が、そのプランジャー要素(83)の端壁(95)に配置された対応する逆止め弁(84)を有し、ドア閉鎖時に、作業流体の通過を許し、ドア開放時に作業流体の逆流を防止することを特徴とする請求項２０に記載の蝶番集成体。
【請求項２２】
当該第一および第二の蝶番構造物(71、72)の対応するプランジャー要素(12、46、83)に備えられた当該逆止め弁(21、54、84)が、常時開タイプのものであることを特徴とする請求項２１に記載の蝶番集成体。
【手続補正２】
【補正対象書類名】明細書
【補正対象項目名】００２３
【補正方法】変更
【補正の内容】
【００２３】
もう一つの側面において、本発明は、請求項１８に定義する、自動閉鎖式ドアその他のための蝶番集成体に関する。